(57)【特許請求の範囲】
【請求項１】
毛を切るために移動方向に毛を通って動かされるように構成される毛切断装置であって：
ハウジング部；
皮膚に対向する頂面を有し、且つ、シェービングモードの間は前記ハウジング部に対して旋回可能に動き、ヘアトリミングモードの間はロック姿勢で固定されるよう構成される刃セット；及び
前記ヘアトリミングモードで前記ハウジング部に結合されるよう構成される、取り外し可能な付属くし状部；を有し、
取り外し可能な前記付属くし状部は：
支持フレーム；
動作中にユーザの皮膚から距離を空けて前記刃セットの前記皮膚に対向する頂面を位置付けるように構成される少なくとも１つの間隔形成用保護要素；
当該毛切断装置の前記ハウジング部に取り付けられるように構成される取付部；及び
取り外し可能な前記付属くし状部が当該毛切断装置に取り付けられたときに、前記刃セットと係合するように、且つ、前記刃セットの前記ロック姿勢を定めるように構成される姿勢決定部；を有する、
毛切断装置。
【請求項２】
取り外し可能な前記付属くし状部の前記姿勢決定部は、当該毛切断装置における前記刃セットと前記ハウジング部とを結合する旋回機構をブロックするように構成されている、
請求項１の毛切断装置。
【請求項３】
取り外し可能な前記付属くし状部の前記取付部は、少なくとも１つの弾性のあるスナップオン式のフックを含む少なくとも１つの保持要素を更に有し、
少なくとも１つの前記保持要素は、前記ハウジング部のところで取付用輪郭と係合するように構成され、且つ、当該毛切断装置に取り付けられたときに、前記取付用輪郭に対してバイアスをかける、
請求項１又は２の毛切断装置。
【請求項４】
取り外し可能な前記付属くし状部の少なくとも１つの前記保持要素は、プレテンション式の取付要素である、
請求項３の毛切断装置。
【請求項５】
取り外し可能な前記付属くし状部の少なくとも１つの前記保持要素は、回転可能に前記支持フレームに取り付けられ、或いは、前記支持フレームのところで一体的に形成されており、
前記支持フレームは、少なくとも１つの前記保持要素及び前記姿勢決定部と接している、
請求項３又は４の毛切断装置。
【請求項６】
取り外し可能な前記付属くし状部の少なくとも１つの前記保持要素は、当該毛切断装置に取り付けられたときに、前記ハウジング部に位置合わせ力を加えるように構成されており、
前記位置合わせ力は、前記姿勢決定部が前記刃セットと係合するように促し、且つ、
前記刃セットは、前記ロック姿勢となるように促される、
請求項３乃至５の何れかの毛切断装置。
【請求項７】
取り外し可能な前記付属くし状部の少なくとも１つの前記保持要素は、前記取付用輪郭に関連付けられた摺動傾斜面と協働するように配置された摺動面を有し、
前記摺動面及び前記摺動傾斜面は、前記付属くし状部を取り付けると、前記保持要素の保持面が前記取付用輪郭に関連付けられた係合面と係合するように、少なくとも１つの前記保持要素をそらす、
請求項３乃至６の何れかの毛切断装置。
【請求項８】
取り外し可能な前記付属くし状部は、操作タブを更に有し、
少なくとも１つの前記保持要素は、係合解除力を前記操作タブに加えると、前記取付用輪郭から解放される、
請求項３乃至７の何れかの毛切断装置。
【請求項９】
取り外し可能な前記付属くし状部の前記姿勢決定部は、取り外し可能な前記付属くし状部の取り付けの際に、前記ハウジング部に関連付けられた旋回リミット停止部材に抗して前記刃セットを旋回させるように構成されている、
請求項１乃至８の何れかの毛切断装置。
【請求項１０】
取り外し可能な前記付属くし状部の前記姿勢決定部は、前記ハウジング部に関連付けられた付勢要素によって加えられる刃セット姿勢付勢力に抗して前記刃セットを旋回させるように構成されている、
請求項１乃至９の何れかの毛切断装置。
【請求項１１】
前記付属くし状部は、ヘアトリミングくし状部であり、
前記姿勢決定部は、前記のくし状部が当該毛切断装置に取り付けられたときに、前記刃セットのトリミング姿勢をもたらすように構成されており、
前記トリミング姿勢は、前記ハウジング部に関する前記刃セットの定められた角度姿勢を含む、
請求項１乃至１０の何れかの毛切断装置。
【請求項１２】
前記付属くし状部は、前記姿勢決定部に隣接する挿入部を更に有し、
前記挿入部は、取り付け方向において前記付属くし状部を前記刃セットに押し付けるのを促進するように構成されている、
請求項１乃至１１の何れかの毛切断装置。
【請求項１３】
前記付属くし状部の取り付け方向は、前記ハウジング部に関する前記刃セットの標準的な姿勢に合わせられている、
請求項１２の毛切断装置。
【請求項１４】
当該毛切断装置は、前記シェービングモードで毛をそるように動作可能であり、
前記刃セットは、前記シェービングモードで旋回するように構成されており、
前記刃セットの実際の姿勢は、前記ユーザの皮膚に適応可能であり、
前記付属くし状部を備えた当該毛切断装置は、前記ヘアトリミングモードで毛をトリミングするように動作可能であり、
前記刃セットは、前記ヘアトリミングモードにおいて、前記付属くし状部によって、前記ロック姿勢となるように促される、
請求項１乃至１３の何れかの毛切断装置。
【請求項１５】
少なくとも１つの前記保持要素は、可撓性の弾性のある取付要素又はバネ・プレテンション式取付要素である、
請求項３乃至８の何れかの毛切断装置。
【請求項１６】
取り外し可能な前記付属くし状部は、ユーザが作動可能な係合解除用操作タブを更に有し、
少なくとも１つの前記保持要素は、係合解除力を前記係合解除用操作タブへ加えると、前記取付用輪郭から解放される、
請求項３乃至８の何れかの毛切断装置。
【請求項１７】
毛切断装置と共に使用するための取り外し可能な付属くし状部であって、前記毛切断装置は：
ハウジング部；及び
皮膚に対向する頂面を有し、且つ、シェービングモードの間は前記ハウジング部に対して旋回可能に動き、ヘアトリミングモードの間はロック姿勢で固定されるよう構成される刃セット；
を有し、
当該取り外し可能な付属くし状部は、前記ヘアトリミングモードでは前記ハウジング部に結合されるよう構成され；
当該取り外し可能な付属くし状部は：
支持フレーム；
動作中に作業面から距離を空けて前記刃セットを位置付けるように構成される少なくとも１つの間隔形成用保護要素；
前記毛切断装置の前記ハウジング部に取り付けられるように構成される取付部；及び
前記毛切断装置に取り付けられるときに、前記刃セットと係合するように、且つ、前記刃セットの前記ロック姿勢を定めるように構成される姿勢決定部；を有する、
取り外し可能な付属くし状部。
【請求項１８】
当該取り外し可能な付属くし状部の前記取付部は、少なくとも１つの弾性のあるスナップオン式のフックを含む少なくとも１つの保持要素を更に有し、
少なくとも１つの前記保持要素は、前記ハウジング部のところで取付用輪郭と係合するように配置され、
少なくとも１つの前記保持要素は、前記毛切断装置に取り付けられたときに、前記取付用輪郭に対してバイアスをかけ、
当該取り外し可能な付属くし状部の少なくとも１つの前記保持要素は、前記毛切断装置に取り付けられたときに、前記ハウジング部に位置合わせ力を加えるように構成され、
前記位置合わせ力は、前記姿勢決定部が前記刃セットと係合するように促し、且つ、
前記刃セットは、ロック姿勢となるように促される、
請求項１７の取り外し可能な付属くし状部。
【発明の詳細な説明】
【技術分野】
【０００１】
本開示は、毛切断装置の付属くし状部に関する。さらに、本開示は、付属くし状部が取り付けられる毛切断装置に関する。より具体的には、本開示は、ヘアトリミングモード及びシェービングモードで動作可能な毛切断装置に関する。
【背景技術】
【０００２】
国際公開第２０１３／１５０４１２号は、毛切断装置及び毛切断装置における対応する刃セットを開示している。その刃セットは、静止刃及び可動刃を有する。可動刃は、ヘア（毛）を切るために静止刃に関して往復駆動され得る。その刃セットは、トリミング動作及びシェービング動作の双方を可能にするのに特に適している。
【０００３】
体毛を切るために、基本的には、かみそりとヘアトリマー又はクリッパーという、習慣的に区別される２つのタイプの電動装置が存在する。概して、かみそりはシェービング（すなわち、そり痕のない滑らかな皮膚を得るために皮膚のレベルで体毛をスライスすること）のために用いられる。ヘアトリマーは、通常、皮膚からある選ばれた距離のところで毛を切るために、すなわち所望の長さに毛を切るために用いられる。用途の違いは、各装置に組み入れられる切断刃構成の異なる構造及びアーキテクチャに反映されている。
【０００４】
電動かみそりは、通常、フォイル（すなわち極薄の有孔スクリーン）と、フォイルの内側に沿って且つフォイルに関して移動可能な切断刃とを含む。使用中、フォイルの外側は皮膚に置かれ且つ皮膚に対して押し付けられ、フォイルを通る全ての毛が、その内側に関して動く切断刃によって切り取られ、且つ、そのかみそりの内側にある凹んだヘア回収部内に入るようにする。
【０００５】
一方、電動ヘアトリマーは、通常、歯付き縁を有する大抵２つの切断刃を含む。２つの切断刃は、歯付き縁のそれぞれが重なるように他方の上に一方が置かれている。動作時に、それらの切断刃は互いに関して往復動し、それらの歯の間に捕捉された全ての毛をはさみ作用で切り取る。毛が切り取られるところである皮膚の上の正確なレベル（高さ）は、通常、（スペーサ）ガード又はくし状部と呼ばれる追加の取付可能な部品を用いて決定される。
【０００６】
更に、基本的にシェービング目的及びトリミング目的の双方に適応する複合装置が知られている。しかしながら、これらの装置は、単に２つの別々の異なる切断セクション、すなわち、上述したような電動かみそりのコンセプトに合致する構成を有するシェービングセクションと、その一方でヘアトリマーのコンセプトに合致する構成を有するトリミングセクションとを含むのみである。
【０００７】
一般的な電動かみそりは、皮膚の上の所望の可変長さで毛を切ること、すなわち正確なトリミング動作に特に適しているというわけではない。これは、少なくとも部分的には、皮膚から距離を空けてフォイル（そしてその結果として切断刃）を位置付けるための機構をそれらが含んでいないという事実によって説明され得る。しかし、例えば間隔形成用くし状部等の付属のスペーサ部品を追加することで、たとえそれらがそのような機構を含むようにしたとしても、通常は多数の小さい孔を含むそのフォイルの構成は、最も短く且つ硬い毛を除く全ての毛の効率的な捕捉を損なってしまう。
【０００８】
同様に、一般的なヘアトリマーは、シェービングに特に適しているというわけではない。主に、個々の切断刃が、変形することなくはさみ作用を実現するために、一定の剛性、ひいては厚みを必要とするという理由による。皮膚の近くにある毛が切り取られるのを妨げるのは、その皮膚に向き合う刃の最低限必要な刃厚である。その結果、自身の体毛をシェービングすること及びトリミングすることの双方を望むユーザは、２つの別々の装置を購入して利用する必要があり得る。
【０００９】
さらに、複合シェービング・トリミング装置はいくつかの欠点を示す。それらは、基本的に、２つの切断刃セットと個別の駆動機構とを必要とするためである。その結果、それらの装置は、標準的なタイプの単一目的の毛切断装置よりも重く且つ摩耗の影響を受け易く、また、費用のかかる製造プロセス及び組立プロセスも必要とする。同様に、それらの複合装置を動作させることは、しばしば、かなりの不快さと複雑さを感じさせる。２つの別々の切断セクションを有する従来の複合シェービング・トリミング装置が利用される場合でさえ、その装置の取り扱い、及び、異なる動作モード間の切り替えは、時間が掛かるもので、且つ、あまりユーザフレンドリではないと見なされ得る。切断セクションは、通常、装置の異なる場所に備えられているため、誘導精度（及びその結果としての切断精度）は低減され得る。ユーザは、動作の際に２つの全く異なる主要な保持位置に慣れる必要があるためである。
【００１０】
上記の国際公開第２０１３／１５０４１２号は、シェービングのために使用されるときに皮膚と向き合う可動刃の側に静止刃の第１部分が配置されるように、且つ、使用の際に皮膚に背を向ける可動刃の側に静止刃の第２部分が配置されるように可動刃を収容する静止刃を有する刃セットを提供することによって、これらの問題のいくつかに取り組んでいる。さらに、歯付きの刃先のところで、静止刃の第１部分と第２部分が接続され、それによって、可動刃の個々の歯をカバーする複数の静止歯を形成している。その結果、可動刃は、静止刃によって保護される。
【００１１】
この配置は、皮膚に背を向ける可動刃の側にも静止刃が存在するため、静止刃が刃セットにより大きな強度及び剛性をもたらす限りにおいて有利である。これは、ほとんどの場合、可動刃の皮膚に向き合う側にある静止刃の第１部分の厚みの低減を可能にし得る。その結果、このようにして動作中に可動刃が皮膚により近づき得るため、上記の刃セットは、ヘアシェービング動作によく適している。それに加えて、刃セットは、ヘアトリミング動作にも特に適している。スロットと交互になっている個々の歯を含め、刃先の構成は、より長い毛がそのスロットに入るのを可能にし、その結果、可動刃と静止刃との間の相対的な切り取り動作によって切断されるのを可能にするためである。
【先行技術文献】
【特許文献】
【００１２】
【特許文献１】国際公開第２０１３／１５０４１２号
【発明の概要】
【発明が解決しようとする課題】
【００１３】
しかしながら、毛切断装置では、それでもなお、改善の必要性が存在する。これは、具体的には、ユーザの快適さに関する側面と、性能に関する側面とを含み得る。特に、ハウジングに旋回可能に取り付けられている刃セットを有する毛切断装置では、様々な全く異なる動作モードでその装置を動作させることは、いくつかの課題をもたらし得る。特に、そのような装置の刃セットをユーザの皮膚から距離を空けて確実に配置することは、困難となり得る。
【課題を解決するための手段】
【００１４】
本開示の目的は、毛切断装置に容易に取り付けられ且つ毛切断装置から容易に取り外され得る、トリミング動作のために配置される付属くし状部を提供することである。より好ましくは、本開示は、例えば、上述のような既知の従来技術に属する毛切断装置につきものの欠点のうちの少なくともいくつかに対処し得る。シェービングモード及びトリミングモードで選択的に作動させられるように構成された毛切断装置を提供することが更に好ましい。付属くし状部が毛切断装置のトリミング性能を高めることが特に好ましい。
【００１５】
本開示の第１の態様では、毛を切るために移動方向において毛を通って動かされるように配置される毛切断装置が提示される。毛切断装置は、刃セット、具体的には旋回可能に取り付けられる刃セットと付属くし状部とを有する。付属くし状部は、
・支持フレーム
・作動の際に作業面から距離を空けて刃セットを位置付けるように、特に、ユーザの皮膚から距離を空けて刃セットの皮膚対向側を位置付けるように配置される少なくとも１つの間隔形成用保護要素
・毛切断装置のハウジング部に取り付けられるように配置される取付部
・毛切断装置に取り付けられたときに刃セットと係合し且つ刃セットのロック姿勢（locking  orientation）を定めるように配置される姿勢決定部
を有する。
【００１６】
この態様は、付属くし状部が複数の目的に役立ち得るという見識に基づく。一方では、付属くし状部は、（残る）毛の長さを決めるために皮膚から距離を空けて刃セットを配置し得る。他方では、付属くし状部は、刃セットを所望の姿勢（例えばトリミング姿勢）にすることによって、毛切断装置でトリミングモードを作動させ得る。刃セットがトリミングモードにおいてロックされること、すなわち、毛切断装置のハウジングに関して刃セットが旋回不能であることが好ましい。ロック姿勢においてもなお刃セット自体が動作可能であること、すなわち、刃セットの可動切断刃が、刃セットの静止刃に関して動かされ得ることは言うまでもない。付属くし状部は、毛切断装置に取り付けられたときにロック姿勢を作動させ或いはロック姿勢をもたらし得ることが更に好ましい。
【００１７】
シェービングモードでは、付属くし状部が毛切断装置から取り外されると、刃セットは、ハウジングに関して旋回させられ得る。その結果、輪郭追従能力をもたらす。付属くし状部の取り外しの結果として、刃セットは、ロック姿勢におけるその比較的固定的な姿勢から解放され得る。その結果、刃セットは、シェービングモードにおいてハウジング部に関して再び回動させられ或いは旋回させられ得る。
【００１８】
２つの目的に用いられる（dual-purpose）、或いは、複数の目的に用いられる（multi-purpose）刃セットとして配置される刃セットを有する毛切断装置に付属くし状部が好適に取り付けられ得ることはこの文脈において言及する価値がある。その結果、同じ刃セットがトリミングにもシェービングにも利用され得る。
【００１９】
一実施例では、姿勢決定部は、刃セットと毛切断装置のハウジング部とを結合する旋回機構をブロックするように配置されている。旋回機構をブロックすることは、それに取り付けられている刃セットをブロックすることを含み得る。代替的に或いは追加的に、旋回機構をブロックすることは、刃セットが取り付けられる旋回機構の要素、例えば、４バー・リンク機構（four-bar  linkage  mechanism）におけるバーをブロックすることを含み得る。
【００２０】
一実施例では、取付部は、少なくとも１つの保持要素、具体的には、少なくとも１つの弾性スナップオン式フックを更に有する。少なくとも１つの保持要素は、ハウジング部のところにある取付用輪郭と係合するように配置されている。また、少なくとも１つの保持要素は、毛切断装置に取り付けられたときに、取付用輪郭に対してバイアスをかける。好ましくは、少なくとも１つの保持要素は、その保持要素を直接作動させる必要なく、すなわち、その保持要素を直接的に押したり或いは引っ張ったりする必要なく、作動させられ得る。その結果、少なくとも１つの保持要素は、仲介作動式（mediately  actuable）、或いはむしろ自動作動式の保持要素として配置され得る。
【００２１】
一実施例では、少なくとも１つの保持要素は、予めテンションがかけられた（プレテンション式）取付要素であり、具体的には、可撓性の弾性取付要素又はバネ・プレテンション式取付要素である。その結果、ロック力が生成され得る。その結果、付属くし状部は、毛切断装置及びその刃セットに関する所望の位置に促され或いは付勢され得る。
【００２２】
一実施例では、少なくとも１つの保持要素は、支持フレームに回転可能に取り付けられ、或いは、支持フレームのところで一体的に形成される。支持フレームは、少なくとも１つの保持要素及び姿勢決定部と接触する。それ故に、少なくとも１つの保持要素は、ロック力を支持フレームに加え、その結果として、刃セットと接触し得る姿勢決定部にロック力を加え得る。
【００２３】
一実施例では、少なくとも１つの保持要素は、毛切断装置に搭載されたときに、位置合わせ力をハウジング部に加えるように配置されている。位置合わせ力は、姿勢決定部と刃セットとの係合を促し、刃セットは、ロック姿勢となるように促される。
【００２４】
一実施例では、少なくとも１つの保持要素は、取付用輪郭に関連付けられた摺動傾斜面と協働するように配置される摺動面を有する。摺動面及び摺動傾斜面は、取付用輪郭に関連付けられた係合面とその少なくとも１つの保持要素の保持面が係合するように、付属くし状部の取り付けの際にその少なくとも１つの保持要素をそらす。これは、付属くし状部を取り付ける過程で保持要素が自動的に取付用輪郭と係合し得るという利点を有し得る。
【００２５】
一実施例では、取付用輪郭は、操作タブ、具体的にはユーザが作動可能な係合解除用操作タブを更に有する。少なくとも１つの保持要素は、係合解除力が操作タブに加えられると、取付用輪郭から係合解除される。
【００２６】
保持要素の係合解除は、保持面が係合面から解放されるように保持要素をそらすこと或いは曲げることを含み得る。好ましくは、係合解除は、取付用輪郭における係合面と摺動傾斜面との間の頂点を保持面が乗り越えられるように保持要素を旋回させることを含み得る。
【００２７】
代替的な実施例の１つでは、操作タブが少なくとも１つの保持要素に結合され、ハウジング部からその少なくとも１つの保持要素を解放するために、その操作タブが選択的に作動可能となっている。この実施例に従って、ユーザは、保持要素を係合させ或いは係合解除させるために、保持要素を直接的に作動させ得る。
【００２８】
一実施例では、姿勢決定部は、ハウジング部に関連付けられた旋回リミット停止部材に抗して刃セットを旋回させる。その結果、刃セットは、所望のロック姿勢において比較的高精度で維持され得る。
【００２９】
代替的な実施例では、姿勢決定部は、ハウジング部に関連付けられた付勢要素によって加えられる刃セット姿勢付勢力に抗して刃セットを旋回させる。例として、旋回機構は、付勢要素を備え得る。概して、付勢要素は、旋回機構及びその結果として刃セットを中立位置に促し得る。付属くし状部の取り付けの結果、姿勢決定部は、付勢要素によって加えられた付勢力に抗して刃セットをその所望のロック姿勢に付勢し得る。
【００３０】
一実施例では、付属くし状部は、ヘアトリミング用くし状部として配置される。姿勢決定部は、付属くし状部が毛切断装置に取り付けられたときに、刃セットのトリミング姿勢をもたらすように配置される。トリミング姿勢は、具体的には、ハウジング部に関する刃セットの定められた角度姿勢を含む。付属くし状部は、作動の際に皮膚から距離を空けて刃セットを配置し得る複数のくし歯を有し得る。
【００３１】
一実施例では、付属くし状部は、姿勢決定部に隣接する挿入部を更に有する。挿入部は、取り付け方向において、付属くし状部を刃セットに押し付けること又は載せることを促進するように構成されている。その結果、組立ミスが回避され得る。取り付けプロセスは更に簡素化され得る。
【００３２】
一実施例では、取り付け方向は、ハウジング部に関する刃セットの標準的な姿勢に合わせられる。上述のように、刃セットは、外部荷重がそれに加えられていない場合、標準的姿勢すなわち中立姿勢をとり得る。それ故に、挿入部を刃セットの標準的な姿勢に適合させることが特に有益である。
【００３３】
付属くし状部を取り付けることは、取り付け方向において刃セットに近づくこと、刃セットを姿勢決定部に接触させること、刃セットのピボット軸又は仮想ピボット軸に基本的に平行となり得る横に延びる軸の回りで付属くし状部を旋回させることを含み得る。
【００３４】
一実施例では、取付部は、少なくとも１つのサイドクリップ要素、具体的には、第１サイドクリップ要素と、その第１サイドクリップ要素の反対側にある第２サイドクリップ要素を更に有する。その少なくとも１つのサイドクリップ要素は、付属くし状部を取り付け姿勢に旋回させると、ハウジング部と係合するように構成されている。したがって、刃セットがロック姿勢になるように促す。
【００３５】
関連する実施例では、取付部は、第１サイドクリップ要素及び第２サイドクリップ要素を有する。第１サイドクリップ要素及び第２サイドクリップ要素は、付属くし状部が毛切断装置に取り付けられたときに、ハウジング部を抱くように配置されている。第１サイドクリップ要素及び第２サイドクリップ要素は、対向する保持力を及ぼす。好適に対向する保持力は、望ましくは、保持要素によって加えられ得る位置合わせ力に垂直である。しかしながら、サイドクリップ要素無しで実現される複数の実施例が想定され得る。
【００３６】
毛切断装置の一実施例では、その装置は、シェービングモードで毛をそるように動作可能である。刃セットは、シェービングモードで旋回するように構成されている。刃セットの実際の姿勢は、作業面、具体的にはユーザの皮膚に適応できる。付属くし状部を備えた毛切断装置は、トリミングモードで毛をトリミングするように動作可能である。刃セットは、トリミングモードにおいて、付属くし状部によってロック姿勢となるように促される。
【００３７】
本開示の更なる態様では、毛切断装置の刃セットのための、具体的には旋回可能に支持された刃セットのための取り外し可能な付属くし状部が提示される。
【００３８】
本開示のこれらの及び他の態様は、以下で説明される実施例から明らかとなり、且つ、それらの実施例を参照して明らかにされる。
【図面の簡単な説明】
【００３９】
【図１】本開示に従った付属くし状部の典型的な実施例が取り付けられ得る典型的な電動毛切断装置の概略的な斜視図を示す。
【図２】毛切断装置のための刃セットを含む切断ヘッドの上面斜視図を示す。
【図３】本開示に従った付属くし状部の典型的な実施例が取り付けられた毛切断装置の横部分断面図である。
【図４】図３に従った付属くし状部が取り付けられた毛切断装置の切断ヘッドの部分斜視図である。
【図５】姿勢決定部が毛切断装置の刃セットに提供されるところである、付属くし状部の取り付けプロセスを示す毛切断装置の部分側面図である。
【図６】付属くし状部の取付部が毛切断装置のハウジング部に近づいているところである、図５に示された構成の更なる部分側面図である。
【図７】取付部がハウジング部と係合するところである、図５及び図６に従った構成の更に別の部分側面図である。
【図８】付属くし状部がハウジング部に取り付けられ且つ刃セットと係合している、付属くし状部の更に別の典型的な実施例の上面斜視図である。
【図９】説明のために付属くし状部の間隔形成用保護要素を見えなくしている、図８に示される付属くし状部の断面図である。
【図１０】図８に示される構成の背面図である。
【図１１】図１０のＸＩ−ＸＩ線に沿った、図１０に示される構成の横断面図である。
【図１２】説明のために間隔形成用保護要素を図１２では見えなくしている、毛切断装置のための付属くし状部の背面断面斜視図である。
【図１３】図１２の姿勢に合わせられた姿勢にある毛切断装置の部分背面斜視図である。
【図１４】毛切断装置の切断ヘッドの刃セットに近づく付属くし状部の横部分断面図である。
【図１５】付属くし状部の姿勢決定部が刃セットと係合し、且つ、付属くし状部の保持要素が毛切断装置のハウジング部の取付用輪郭に近づくところの、図１４に従った付属くし状部及び毛切断装置の別の図である。
【図１６】付属くし状部が取り付けられた毛切断装置の単純化された上面部分断面斜視図である。
【図１７】付属くし状部が取り付けられた毛切断装置の更なる部分側面図である。
【発明を実施するための形態】
【００４０】
図１は、毛切断装置１０、具体的には電動毛切断装置１０の典型的な実施例を単純化された斜視図で概略的に示す。毛切断装置１０は、ハウジング、より具体的にはハウジング部１２と、ハウジング部１２内において破線ブロック１４で示されるモータと、ハウジング部１２内において破線ブロック１６で示される駆動機構すなわちドライブトレインとを有し得る。モータ１４に電力を供給するために、少なくとも毛切断装置１０のいくつかの実施例では、ハウジング部１２内の破線ブロック１７で示される、例えば再充電可能バッテリ、交換式バッテリ等のような電気バッテリが提供され得る。しかしながら、いくつかの実施例では、毛切断装置１０は、電源を接続するための電力ケーブルを更に備えていてもよい。電源コネクタが、（内部）電気バッテリ１７に加えて或いはその代わりに提供されてもよい。
【００４１】
毛切断装置１０は、切断ヘッド１８を更に有していてもよい。切断ヘッド１８では、刃セット２０が毛切断装置１０に取り付けられ得る。刃セット２０は、切断動作を可能にするため、駆動機構すなわちドライブトレイン１６を介し、モータ１４によって駆動され得る。切断動作は、一般的に、以下で更に説明され且つ検討される、静止刃と可動刃との間の相対運動と見なされ得る。概して、ユーザは、毛を切るために、毛切断装置１０を把持し、保持し、且つ、移動方向２８に毛を通って毛切断装置１０を手動でガイドし得る。毛切断装置１０は、一般的に、ハンドガイド式及びハンド操作式の電動装置と見なされ得る。さらに、切断ヘッド１８、或いはより具体的には、刃セット２０は、図１の参照数字２６で示される湾曲した双方向矢印を参照し、旋回可能な態様で毛切断装置１０のハウジング部１２に接続され得る。いくつかの実施例では、毛切断装置１０、或いはより具体的には、刃セット２０を含む切断ヘッド１８は、皮膚に生えている毛を切るために、皮膚に沿って動かされ得る。皮膚に近いところで毛を切るときには、基本的には、皮膚のレベルで毛を切り或いは切断（chop）することを目的としてシェービング動作が実行され得る。しかしながら、刈り取り（clip）動作（又はトリミング動作）も想定され得る。刃セット２０を有する切断ヘッド１８は、皮膚に関して所望の距離のところで、ある経路に沿って通過させられ得る。
【００４２】
ガイドされて毛を通って動かされるとき、刃セット２０を含む毛切断装置１０は、通常、図１の参照数字２８で示される一般的な移動方向に沿って動かされる。毛切断装置１０が、通常、手動でガイドされ且つ動かされることを考慮すると、移動方向２８は、必ずしも、毛切断装置１０の姿勢、及び、刃セット２０が取り付けられているその切断ヘッド１８の姿勢に関して固定的な定義及び関係を有する正確な幾何学的基準として解釈される必要はない点はこの文脈で言及する価値がある。すなわち、皮膚のところにある切断対象の毛に関する毛切断装置１０の全体的な姿勢は、多少不安定なものと解釈され得る。しかしながら、説明目的のため、毛切断装置１０の構造的特徴を説明するための手段として以下で役立ち得る座標系の主中心平面に対して（仮想）移動方向２８が平行（或いはほぼ平行）であることがかなり想定され得る。
【００４３】
参照し易くするために、本書では、座標系が複数の図で示されている。例として、デカルト座標系Ｘ−Ｙ−Ｚが図１に示されている。本開示のために、各座標系の軸Ｘは、大抵は長さに関連付けられてほぼ縦の方向に延びる。本開示のために、その座標系の軸Ｙは、幅に関連付けられて横（横断）方向に延びる。その座標系の軸Ｚは、少なくともいくつかの実施例では、説明のためにほぼ鉛直な方向として参照され得る高さ（鉛直）方向に延びる。座標系Ｘ−Ｙ−Ｚと、毛切断装置１０の特有の特徴及び／又は実施例との関連づけが主として説明のために提供され、且つ、限定的な方法で解釈されてはならないことは言うまでもない。代替の実施例、及び、別の姿勢を含む図及びイラストのそれぞれと向き合うときに、本書で提供される座標系を当業者が容易に変換し且つ／或いは移動させ得ることが理解されるべきである。さらに、本開示のために、その座標系Ｘ−Ｙ−Ｚが、刃セット２０を含む切断ヘッド１８の主方向及び幾何学的配置とほぼ一致している点は言及する価値がある。
【００４４】
図２は、図１に示されている切断ヘッド１８に組み入れられ得る刃セット２０の上面斜視図を示す。刃セット２０の静止刃２２は、複数の歯を有する、少なくとも１つの歯付き前縁３０ａ、３０ｂを定め得る。また、可動切断刃２４は、個別の歯を備えた個別の歯付き前縁を有していてもよい。可動切断刃２４は、破線表現で図２に示されている。可動刃２４は、往復動の方法で駆動シャフト４８によって駆動され得る。その結果、可動刃２４及び静止刃２２は、互いに対して往復動の方法で動かされ得る。そして、毛切断装置１０が移動方向２８において毛を通って動かされるときに、その少なくとも１つの歯付き前縁３０ａ、３０ｂのところにある歯の間のスロットに入る毛を切るように協働する。既に示されたように、刃セット２０は、シェービング動作及びトリミング動作に特に適し得る。シェービング性能は、刃セット２０が実際の皮膚の輪郭に追従できる場合に更に改善され得る。その結果、毛切断装置１０のハウジング又はハウジング部１２に対して刃セット２０が旋回可能に取り付け可能であることがより好ましいものとなり得る。
【００４５】
静止刃２２は、可動刃２４のための保護具として配置され得る。静止刃２２は第１壁部と第２壁部を有することが特に好ましい。第１壁部と第２壁部は、可動刃２４のためのガイドスロットがそれらの間に定められるように、少なくとも部分的に互いに間隔を空けられている。それ故に、静止刃２２は、少なくとも１つの歯付き前縁３０ａ、３０ｂのところで可動刃２４をカバーしてもよい。刃セット２０は、旋回（swiveling）機構４０に取り付けられてもよい。旋回機構４０は、刃セット２０とハウジング部１２との間に入るように置かれる切断ヘッド１８の一部を形成してもよい。旋回機構４０は、図１及び図２の湾曲した双方向矢印２６を参照し、ピボット、より厳密に言えば、刃セット２０のための仮想ピボットを定めてもよい。
【００４６】
旋回機構４０は、ハウジング部１２に関する刃セット２０の最大旋回角度を定めるためのリミット停止部４２を更に有し得る。少なくとも１つの接触面４４は、刃セット２０に関連付けられ得る。その結果、刃セット２０がピボット軸又は仮想ピボット軸の回りを旋回させられると、接触面４４はリミット停止部４２と接触し得る。そして、旋回動作を制限する。切断ヘッド１８は、交換式の切断ヘッドと見なされ得る。切断ヘッド１８は、毛切断装置１０のハウジング部１２のところにある個別の受け入れインタフェースと係合するように配置されている取り付けインタフェース４６を有し得る。具体的には、切断ヘッド１８は、プラグイン（差し込み）式の切断ヘッド１８として配置され得る。既に示されたように、刃セット２０、具体的にはその可動切断刃２４は、駆動シャフト４８に結合され得る。駆動シャフト４８は、駆動シャフト４８の長手軸の回りを回転（revolve）し得る偏心部を有し得る。その結果、往復動の方法で静止刃２２に関して可動切断刃２４を駆動するための偏心切断機構が提供され得る。
【００４７】
図２に示されている旋回機構４０、又は、旋回機構４０の別の典型的な実施例に取り付けられることで、切断ヘッド１８は、シェービング動作に特に適したものとなり得る。しかしながら、切断ヘッド１８がヘアトリミング動作にも適していることが好ましい。ヘアトリミングは、所望の長さで毛を切ることを含み得る。その毛の所望の残り長さは、いわゆる付属くし状部で決められてもよい。付属くし状部は、概して、皮膚表面から距離を空けて刃セット２０を位置付け得る。付属くし状部を毛切断装置１０に取り付ける場合、刃セット２０が基本的にハウジング部１２のところで旋回可能に取り付けられていることが検討される必要がある。旋回可能な取り付けは、毛切断装置１０のシェービング性能を改善し得る。しかしながら、その一方で、トリミングモードでは、刃セット２０の姿勢をロック或いはブロックで固定することが好ましいかもしれない。刃セット２０をロックすることは、刃セット２０を所望のトリミング姿勢に維持することを含み得る。
【００４８】
図３〜図１７を参照し、付属くし状部５０の典型的な実施例が示され且つ更に説明される。特に図３〜図７を参照し、付属くし状部５０の第１の典型的な実施例が解明される。図３及び図４で最も良く見られるように、付属くし状部５０は、支持フレーム５２を有し得る。支持フレーム５２は、毛切断装置１０のハウジング部１２と係合するように配置され得る支持梁５４を有し得る。この目的のため、ロック係合要素５６が支持梁５４に取り付けられていてもよい。付属くし状部５０は、通常、ハウジング部１２に関する付属くし状部５０の所定の姿勢を定めるように配置される取付部６０を有し得る。取付部６０は、例えば、ロック係合要素５６を備え得る。ロック係合要素５６は、取付用輪郭９０、具体的にはハウジング部１２のところにある取付用凹部と係合するように配置され得る。図３の毛切断装置１０の切断ヘッド１８の断面表現から最も良く見て取れるように、切断ヘッド１８は、ハウジング部１２に旋回可能に接続される刃セット２０を有し得る。しかしながら、付属くし状部５０が毛切断装置１０に取り付けられている場合、トリミングモードでは、刃セット２０が、ロック姿勢とも呼ばれる好ましいトリミング姿勢にされ且つ維持されることが好ましい。刃セットのロック姿勢は、好ましい角度姿勢を含んでいてもよい。言い換えれば、刃セット２０は、付属くし状部５０、それ故にハウジング部１２に関して角度αで配置され得る。
【００４９】
付属くし状部５０は、姿勢決定部６２を更に有し得る。姿勢決定部６２は、予め定められた方法で付属くし状部５０がハウジング部１２及び刃セット２０に取り付けられたときに、刃セット２０のロック姿勢又はトリミング姿勢を定めるように配置され得る。例として、姿勢決定部６２は、刃セット２０の頂面３２（図５参照。）と少なくとも部分的に接触するように配置され得る受け座部６４を有し得る。その予め定められた姿勢を取ることで、付属くし状部５０は、基本的に、刃セット２０をロック姿勢に促し得る。
【００５０】
図４の斜視図から最も良く見て取れるように、付属くし状部５０は、複数のくし歯６６を含み得る間隔形成用保護要素（spacing  guard  element）５８を更に有し得る。くし歯６６は、毛切断装置１０がヘアトリミング動作のために使用されるときに、ユーザの皮膚と接触するように配置され得る。間隔形成用保護要素５８、具体的にはそのくし歯６６は、刃セット２０の歯付き前縁３０を皮膚からオフセットし得る。その結果、毛の実際の（残り）長さを決定し得る。図４から更に見て取れるように、刃セット２０は、４バー・リンク機構として配置され得る旋回機構４０に取り付けられ得る。図４を参照すると、旋回機構４０は、付勢要素６９、具体的にはバネ要素６９を有し得る。付勢要素６９は、刃セットを予め定められた中立位置に促すように配置され得る。その中立位置は、外部荷重が刃セット２０に加えられていないときの刃セット２０の位置と見なされ得る。その結果、姿勢決定部６２は、トリミングの目的にとって望ましいロック姿勢となるように刃セット２０を促すように、バネ要素６９に抗して作用し得る。
【００５１】
図４から更に見て取れるように、付属くし状部５０は、基本的に、シャベル状の形状を有し得る。支持フレーム５２及び間隔形成用保護要素５８は、刃セット２０の頂面３２を保護し得る。図５から最も良く見て取れるように、取付部６０は、取り付け方向７４において刃セット２０の上に置かれるように配置され得る。図２も参照すると、付属くし状部５０は、刃セットの横延長部（Ｙ寸法）に合わせられたスロットを基本的に有し得る、定められた挿入部７０を更に有し得る。姿勢決定部６２が刃セット２０の上に置かれると、刃セット２０は、挿入部７０に入り得る。刃セット２０は、受け座部６４と接触させられ得る。その前端では、具体的にはその歯付き前縁３０では、刃セット２０は、前部接触面６７と接触させられ得る。
【００５２】
図５、図６及び図７は、付属くし状部５０の典型的な取り付け手順を示す。図５を参照すると、初期状態では、付属くし状部５０は、刃セット２０が姿勢決定部６２と接触するように、取り付け方向７４において刃セット２０に接近し得る。これは、具体的には、前部接触面６７と刃セット２０の前端とを接触させることを含み得る。各取り付け動作は、実質的に直線運動として参照され得る。図６で示される次の段階では、既に刃セット２０と接触している場合がある付属くし状部５０は、旋回取り付け方向７６に、刃セット２０と一緒に旋回させられ得る。その結果、取付部６０は、毛切断装置１０のハウジング部１２に接近し得る。
【００５３】
取付部６０をハウジング部１２に取り付けることは、取付部６０のスナップオン式の取り付けを含み得る。この目的のため、少なくともいくつかの実施例では、取付部６０は、少なくとも１つのサイドクリップ７２、具体的には、互いに対して反対側となる方法で配置される一対のサイドクリップを有し得る。サイドクリップ７２は、ハウジング部１２の向かい合った２つの側面と係合し得る。サイドクリップ７２は、ハウジング部１２のところで取付用輪郭９０と接触しているロック係合要素５６を引っ張り得る。その結果、付属くし状部５０は、予め定められたスナップオン式の方法で、取り外し可能にハウジング部１２に取り付けられ得る。予め定められた姿勢での付属くし状部５０の取り付けは、刃セット２０をそのロック姿勢に至らせることを含み得る。
【００５４】
図８〜図１５を更に参照すると、毛切断装置１０のための付属くし状部５０の更なる典型的な実施例が更に詳説され且つ説明される。図８、図１２及び図１３から最も良く見て取れるように、付属くし状部５０は、毛切断装置１０のハウジング又はハウジング部１２に取り付けられ得る。それは、毛切断装置１０の刃セット２０と係合することも含み得る。説明のために図８〜図１５では刃セット２０のための旋回機構を見えなくしている点に更に留意すべきである。概して、刃セット２０及び旋回機構は、図２に示された旋回機構４０の典型的な実施例に従って配置され得る。図８及び図９から最も良く見て取れるように、付属くし状部５０は、支持フレーム５２、具体的には、ループ状に形作られた支持フレーム５２を有し得る。図８及び図１０から最も良く見て取れるように、付属くし状部５０は、複数のくし歯６６を有し得る間隔形成用保護要素５８を有し得る。間隔形成用保護要素５８は、予め定められた長さで毛をトリミングできるよう、予め定められた方法で、ユーザの皮膚から距離を空けて刃セット２０の頂面３２を位置付け或いはユーザの皮膚から頂面３２をオフセットさせ得る。説明のため、図９及び図１１〜図１５では、間隔形成用保護要素５８を見えなくしている。いくつかの実施例では、間隔形成用保護要素は、調整可能な間隔形成用保護要素５８として参照され得る。それ故に、刃セット２０とユーザの皮膚との間隔を変更するために間隔形成用保護要素５８が調整され得ることが好ましいこととなり得る。
【００５５】
付属くし状部５０は、保持要素８０（具体的には保持フック）を有する取付部６０を更に有し得る。保持要素８０は、少なくともいくつかの実施例では、弾性保持要素８０とも称され得る。保持要素８０は、支持フレーム５２と共に一体的に形成されてもよく、或いは、支持フレーム５２に取り付けられてもよい。保持要素８０が、付属くし状部５０を選択的にロックし或いは係合解除するために動作させられ或いは作動させられ得る湾曲可能な保持要素であることが特に好ましい。保持要素８０の湾曲動作運動は、図１２において、参照数字８２で表された湾曲した双方向矢印で示されている。保持要素８０は、ハウジング部１２のところで取付用輪郭９０と協働するように配置され得る。
【００５６】
図９、図１１及び図１２から最も良く見て取れるように、付属くし状部５０は、付属くし状部５０の取り付けられた状態において刃セット２０の頂面３２と接触し得る少なくとも１つの受け座部６４を有し得る姿勢決定部６２を更に備え得る。例として、図１０も参照すると、姿勢決定部６２は、第１受け座部６４及び第２受け座部６４を有し得る。少なくとも１つの受け座部６４は、支持梁５４の頂部６５から延び得る。姿勢決定部６２は、少なくとも１つの横ガイド要素７１を更に有し得る。望ましくは、刃セット２０の横位置（Ｙ位置）を定めるために刃セット２０の両側端をガイドするように配置される第１ガイド要素７１及び第２横ガイド要素７１が提供される。その結果、付属くし状部５０及び刃セット２０は、取り付けられた状態において完全に位置合わせされ得る。
【００５７】
図１１から最も良く見て取れるように、受け座部６４は、刃セット２０の縦寸法ｌｂの少なくともかなりの部分をカバーし得る縦延長部ｌｒを有し得る。これは、基本的には、刃セットの（頂面３２ではなく）底側と係合してしまうことを含み得る付属くし状部５０の不完全な取り付けを防止し得る。それ故に、その少なくとも１つの受け座部６４による刃セットの縦方向の被覆率が、刃セット２０の縦延長部の長さｌｂの少なくとも半分を超えることが好ましい。
【００５８】
概して、少なくとも１つの受け座部６４は、支持フレーム５２から延びるタブ又は歯として配置され得る。図８から最も良く見て取れるように、少なくとも１つの受け座部６４は、間隔形成用保護要素５８のくし歯６６の間のスロット内に配置され得る。その結果、少なくとも１つの間隔形成用保護要素５８は、通常、くし歯６６と干渉しない。いくつかの実施例では、間隔形成用保護要素５８と姿勢決定部６２は、少なくとも部分的には一体的に形成され得る。これは、特に、間隔形成用保護要素５８が無調整式の間隔形成用保護要素５８であるときに当てはまる。この文脈において、少なくとも１つの受け座部６４は、少なくとも複数のくし歯６６の後側すなわち底側に配置されてもよい。
【００５９】
付属くし状部５０は、操作タブ８４（具体的には係合解除用操作タブ８４）を更に有し得る。概して、操作タブは、ハンドルとも称され得る。操作タブ８４は、支持フレーム５２の底部８３に配置され得る。操作タブ８４は、付属くし状部５０を毛切断装置１０から係合解除するため或いは解放するためにユーザによって作動され或いは操作され得る。
【００６０】
図１０及び図１１を更に参照すると、本開示に従った典型的な実施例における保持要素８０及び取付用輪郭９０が更に詳説されている。図１１は、毛切断装置１０のハウジング部１２に取り付けられている付属くし状部５０の断面図を示す（図１０のＸＩ−ＸＩ線も参照。）。保持要素８０は、湾曲可能な保持フックとして配置され得る。保持要素８０は、支持フレーム５２に旋回可能に取り付けられ得る。この目的のため、ピボット、すなわち取り付けピボット８８が提供され得る。図１２の参照数字８２で示されている湾曲した双方向矢印を参照すると、保持要素８０は、ピボット８８の回りを旋回し得る。概して、付属くし状部５０、具体的にはその支持フレーム５２は、図１３で典型例として示されているハウジング部１２の外面形状に適合され得る。保持要素８０は、ハウジング部１２のところで取付用輪郭９０と係合するように構成され得る先端８６を有し得る。取付用輪郭９０は、摺動傾斜面９２及び係合面９４を有し得る。
【００６１】
図１３から最も良く見て取れるように、摺動傾斜面９２は、基本的に、外向きに方向付けられ得る。係合面９４は、基本的に、（ハウジング部１２に関して）内向きに方向付けられ得る。また、係合面９４は、取付用輪郭９０のロック要素と見なされ得る。係合面９４のところで、保持要素８０の先端８６はロックされ得る。その結果、付属くし状部５０は、ハウジング部１２のところでロックされ得る。付属くし状部５０は、付勢要素１００、具体的には、保持要素８０のためのバネ要素１００を更に有し得る。付勢要素１００は、概して、保持要素８０を取付用輪郭９０と係合させるように促す。図１１に示されている付属くし状部５０の典型的な姿勢を考慮すると、付勢要素１００は、保持要素８０の時計回り回転を促す傾向を有する回転力を保持要素８０に加え得る。この文脈において、上記の用語“時計回り”が限定的な方法で解釈されてはならず、むしろ、付勢要素１００と保持要素８０の例示的な構成と見なされる点に留意すべきである。
【００６２】
図１３及び図１５から最も良く見て取れるように、保持要素８０は、先端８６のところに、保持面９６及び摺動面９８を更に有し得る。基本的に、摺動面９８は、保持要素８０の先端８６の取付用輪郭９０への挿入の際に、取付用輪郭９０の摺動傾斜面９２と協働するように配置され得る。摺動面９８は、保持要素８０が付勢要素１００のバイアス力に対してそらされるように、摺動傾斜面９２のところで摺動し得る。その結果、先端８６は、取付用輪郭９０に入ることができる。そして、保持面９６は、保持要素８０をロックするようにそしてその結果として付属くし状部５０をロックするように係合面９４と係合し或いは接触し得る。
【００６３】
更なる参照が図１１に対して行われる。図１１は、取り付けられた状態にある付属くし状部５０を示す。その取り付けられた状態では、付属くし状部５０、具体的にはその姿勢決定部６２は、刃セット２０をトリミングに適した所定の姿勢に至らせ得る。概して、刃セット２０は、ハウジング部１２に取り付けられ得る或いは関連付けられ得る付勢要素すなわちバネ要素６９に結合され得る。バネ要素６９は、例示を目的として図１１に概略的に示されている。この点についての更なる参照は、図４に示されているバネ要素６９に対して行われる。概して、バネ要素６９は、例えば、刃セット２０を予め定められた中立旋回姿勢（図１４参照。）に至らせるように構成され得る。その結果、図１１に示されるように、姿勢決定部６２は、バネ要素６９に逆らって作動し得る。それ故に、刃セット２０は、基本的には考慮すべき遊び無しで、バイアスが掛けられたプレロード状態でのトリミングに適したロック姿勢で維持され得る。
【００６４】
図１１で更に見て取れるように、付勢要素１００は、基本的に、刃セット２０との規定の係合をもたらすように姿勢決定部６２を引っ張る。付勢要素１００に起因し且つ保持要素８０によって加えられるロック力の方向は、図１１のＦＬで示されている。その取り付けられた状態における刃セット２０の実際の姿勢を考慮すると（図１１に示されている（刃セットの）座標系を参照。）、ロック力ＦＬは、刃セット２０に隣接する頂端のところで、結果として生じる保持力ＦＲをもたらす。保持力ＦＲは、基本的に、縦方向Ｘにおける付属くし状部５０の解放動作を防止する。その結果、付属くし状部５０は、自動位置合わせ式（self-aligning）付属くし状部と見なされ得る。刃セット２０の所望のロック姿勢は、付属くし状部５０のはめ合い適合を更に改善し得る。付属くし状部５０は、自己保持式（self-retaining）付属くし状部５０又は自動ロック式（self-locking）付属くし状部５０とも称され得る。
【００６５】
上述のように、付属くし状部５０は、支持フレーム５２と共に一体的に形成され且つ支持フレーム５２から延び得るハンドルすなわち操作タブ８４を更に備え得る。ユーザは、付属くし状部５０を係合解除するために操作タブ８４を作動させ得る。各作動方向は図１１の参照数字１１２で表される矢印で示されている。係合解除方向１１２に操作タブ８４を押すことは、保持要素８０を回転させ或いは旋回させ得る。図１１に示されている典型的な構成を考慮すると、操作タブ８４を係合解除方向１１２に押すと、保持要素８０は反時計回りに回転させられ得る。その結果、保持要素８０の先端８６（具体的には保持面９６（図１５参照。））は、係合面９４から係合解除され得る。このように、保持要素８０は、取付用輪郭９０との係合から解放され得る。それ故に、付属くし状部５０は、毛切断装置１０から解放され得る。言い換えれば、少なくともいくつかの実施例では、付属くし状部５０は、単一ステップの解放式の付属くし状部５０と見なされ得る。保持要素８０の係合解除は、概して、保持要素８０の旋回運動をもたらし得る、摺動傾斜面９２の上での保持要素８０の転動又は摺動を含み得る。その結果、先端８６は、取付用輪郭９０における摺動傾斜面９２と係合面９４との間の頂点を乗り越え得る。
【００６６】
特に図１４及び図１５を参照すると、付属くし状部５０の取り付けプロセスが更に説明されている。図１４から見て取れるように、切断ヘッド１８の刃セット２０は、外部荷重又は外力がそれに加えられていないとき、基本的な中立姿勢（座標軸Ｘ、Ｚを参照。）をとり得る。付属くし状部５０は、取り付け方向１１４で、毛切断装置１０に提供され得る。具体的には、姿勢決定部６２が刃セット２０に接近し得る。図１５で最も良く見て取れるように、姿勢決定部６２、具体的にはその少なくとも１つの受け座部６４は、姿勢決定部６２が刃セット２０の頂面３２と接触すると、刃セット２０をロック姿勢に向けて促し得る（図１５の傾斜した座標軸Ｘ、Ｚを参照。）。刃セット２０の各旋回運動は、図１５の参照数字１１６で表される湾曲矢印で示されている。
【００６７】
基本的に、刃セット２０及び少なくとも１つの受け座部６４は、付属くし状部５０の取り付けの際に、位置合わせされ得る。図１１で示されている実施例との関連で既に言及されたように、刃セット２０は、バネ要素６９に逆らうように促され得る。しかしながら、図１５で見て取れるように、更に別の実施例では、刃セット２０は、リミット停止部材６８に逆らうように促されてもよい。しかしながら、この実施例は、それでもなお、刃セットのところに備えられるバネ要素６９を含んでいてもよい。リミット停止部材６８は、ハウジング部１２に取り付けられ或いは関連付けられ得る。刃セット２０が所望の姿勢に至ると、付属くし状部５０、具体的にはその支持フレーム５２は、ハウジング部１２と接触し得る。これは、基本的に、付属くし状部５０とハウジング部１２の位置合わせのための付属くし状部５０の回転又は旋回を含み得る（図１５の参照数字１１８で表される湾曲矢印を参照。）。
【００６８】
このように、保持要素８０は、ハウジング部１２のところで取付用輪郭９０と接触し得る。これは、摺動面９８と摺動傾斜面９２の滑り接触（また、滑り接触と転がり接触の組み合わせ）を含み得る（図１１も参照。）。その結果、保持要素８０は、摺動面９８が摺動傾斜面９２を乗り越えるように、そらされ得る（例えばピボット８８の回りを旋回させられ得る）（参照数字１２０で示される図１５の湾曲矢印を参照。）。この過程で、保持面９６は、取付用輪郭９０のところで係合面９４と係合し得る。その結果、付属くし状部５０は、ハウジング部１２と位置合わせされ且つハウジング部１２にロックされ得る。これは、取付用輪郭９０との係合のために装置のユーザが保持要素８０を直接作動させる必要がないという利点を有し得る。基本的に、付属くし状部５０が毛切断装置１０から係合解除されるときにも同じことが当てはまる。それ故に、保持要素８０は、仲介作動式（mediately  actuable）保持要素８０と見なされ得る。
【００６９】
図１６及び図１７を更に参照すると、毛切断装置１０のための典型的な付属くし状部５０の代替の取り付け構成が図示され且つ更に説明されている。図１６に示される実施例は、基本的に、バックパック式付属くし状部５０と呼ばれ得る。バックパック式付属くし状部５０は、概して、図８〜図１５に示された実施例に対応し得る。バックパック式付属くし状部５０は、毛切断装置１０のハウジング部１２の裏側つまり後側に取り付け可能な付属くし状部５０と見なされ得る。バックパック式付属くし状部５０の付属ハウジング１３２は、図１６の参照数字１３２で示されている。
【００７０】
図１７は、付属くし状部５０の代替の実施例を示す。付属くし状部５０は、フロントパック式付属くし状部５０と見なされ得る。言い換えれば、図１７の付属くし状部５０は、図１６に示されている裏側とは反対側の、毛切断装置１０の前側に取り付け可能であり得る。毛切断装置１０のハウジング部１２の前側に適合されている各付属ハウジング１３４は、図１７の参照数字１３４で示されている。また、フロントパック式付属くし状部５０は、刃セット２０がトリミングに適した所定のロック姿勢となるよう、毛切断装置１０に取り付けられ得る。
【００７１】
図１６及び図１７を更に参照すると、姿勢決定部６２の少なくとも１つの受け座部６４が、概して、間隔形成用保護要素５８のくし歯６６と共に一体的に形成されていることが更に観察される。そのような配置は、基本的にその間隔長さに関して調整可能でない間隔形成用保護要素５８が利用される場合に想定され得る。その結果、刃セット２０に関するくし歯６６の位置は、基本的に、その取り付けられた状態において固定されている。それ故に、くし歯６６は、刃セット２０の頂面３２のための受け座部６４を形成し得る。しかしながら、長さが調整可能な間隔形成用保護要素５８が利用される場合、姿勢決定部６２を形成し得る別の受け座部６４を提供することが好ましい場合がある（図８及び図９も参照。）。
【００７２】
概して、毛切断装置１０のハウジングの裏側は、付属くし状部５０の取り付けられた状態で刃セット２０の頂面３２が背を向ける側と見なされ得る。概して、毛切断装置１０のハウジングの前側は、付属くし状部５０の取り付けられた状態で刃セット２０の頂面３２が向けられる側と見なされ得る。
【００７３】
本発明は図に示され且つ前述の説明で詳細に説明されたが、そのような図及び説明は、例示的或いは典型的なものとされ制限的なものとはされない。本発明は、開示された実施例に限定されない。開示された実施例に対する他の変形例は、クレームされた発明を実施するときの、図、開示内容、及び添付の請求項の検討から、当業者に理解され且つ実現され得る。
【００７４】
請求項では、“有する”という語は、他の要素又はステップを排除しない。不定冠詞“a”又は“an”は複数を排除しない。単一の要素又は他のユニットは、請求項に記載された複数のアイテムの機能を果たし得る。複数の手段が互いに別々の従属項に記載されているという単なる事実は、それらの手段の組み合わせが利益を得るために利用できないということを意味することはない。
【００７５】
請求項における何れの参照符号もその範囲を限定するものとして解釈されることはない。
【図１】
0006526050.tif 000002
【図２】
0006526050.tif 000003
【図３】
0006526050.tif 000004
【図４】
0006526050.tif 000005
【図５】
0006526050.tif 000006
【図６】
0006526050.tif 000007
【図７】
0006526050.tif 000008
【図８】
0006526050.tif 000009
【図９】
0006526050.tif 000010
【図１０】
0006526050.tif 000011
【図１１】
0006526050.tif 000012
【図１２】
0006526050.tif 000013
【図１３】
0006526050.tif 000014
【図１４】
0006526050.tif 000015
【図１５】
0006526050.tif 000016
【図１６】
0006526050.tif 000017
【図１７】
0006526050.tif 000018